(57)【要約】      （修正有）【課題】縦型照明器具及び上部照明器具を備えるミラーキャビネットにおいて、操作部の簡単な操作により、ミラー扉の正面側の光を所望の状態に調整できる構成を提供する。【解決手段】ミラーキャビネット６は、キャビネット本体１０と、キャビネット本体１０の内部空間を開閉するミラー扉７Ｃと、ミラー扉７Ｃの上に配置される上部照明ユニット１６０と、閉鎖位置のミラー扉７Ｃと隣り合わせとなる位置に配置され、縦方向に延びる照明カバー７０を有する縦型照明ユニット６０Ｌ，６０Ｒと、上部照明ユニット１６０及び縦型照明ユニット６０Ｌ，６０Ｒの所定の点灯状態の組み合わせが設定された照明モードを指定可能なリモコン１２０と、リモコン１２０によって指定された照明モードに基づいて上部照明ユニット１６０と縦型照明ユニット６０Ｌ，６０Ｒの照明制御を連動して行う電源ユニットを備える。【選択図】図１
2017080290.tif 000002
【特許請求の範囲】
【請求項１】
キャビネット本体と、
前記キャビネット本体の内部空間を開閉するミラー扉と、
前記ミラー扉の上に配置される上部照明器具と、
閉鎖位置の前記ミラー扉と隣り合わせとなる位置に配置され、縦方向に延びる発光部を有する縦型照明器具と、
前記上部照明器具及び前記縦型照明器具の所定の点灯状態の組み合わせが設定された照明モードを指定可能な操作部と、
前記操作部によって指定された前記照明モードに基づいて前記上部照明器具と前記縦型照明器具の照明制御を連動して行う制御部と、
を備えるミラーキャビネット。
【請求項２】
前記制御部は、前記照明モードを追加又は変更できる請求項１に記載のミラーキャビネット。
【発明の詳細な説明】
【技術分野】
【０００１】
本発明は、照明器具を備えるミラーキャビネットに関する。
【背景技術】
【０００２】
従来から、ミラーキャビネットにおいて、照明器具の点灯状態を操作する操作部を備える構成が知られている。この種のミラーキャビネットを開示するものとして特許文献１がある。特許文献１には、ミラーキャビネットにおいて、収納部の開口を開閉するミラー扉と、隣り合う前記収納部を仕切る仕切り板と、隣り合う前記ミラー扉の間であって仕切り板の前面に設けた照明器具と、を備える構成が開示されている。そして、特許文献１に開示される照明器具は発光部が縦方向に延びる縦型照明器具であり、該縦型照明器具の点灯、消灯及び光の強さがリモコン操作により切り替え可能となっている。
【先行技術文献】
【特許文献】
【０００３】
【特許文献１】特開２０１５−１０４５５１号公報
【発明の概要】
【発明が解決しようとする課題】
【０００４】
ところで、ミラー扉の両側に配置される縦型照明器具に加え、ミラー扉の上部にも照明器具を配置する場合がある。この構成において、ミラー扉の正面側の明るさを調節したい場合は、左右に配置される縦型照明器具だけではなく上部の照明器具についても点灯又は消灯等の点灯状態を変更する必要がある。しかし、従来のミラーキャビネットは、上部照明器具と縦型照明器具は点灯状態を別々に変更する操作が必要であり、ユーザにとってミラー扉の正面側の明るさの調整は手間のかかる作業であった。
【０００５】
本発明は、縦型照明器具及び上部照明器具を備えるミラーキャビネットにおいて、操作部の簡単な操作により、ミラー扉の正面側の光を所望の状態に調整できる構成を提供することを目的とする。
【課題を解決するための手段】
【０００６】
本発明は、キャビネット本体（例えば、後述のキャビネット本体１０）と、前記キャビネット本体の内部空間を開閉するミラー扉（例えば、後述のミラー扉７）と、前記ミラー扉の上に配置される上部照明器具（例えば、後述の上部照明ユニット１６０）と、閉鎖位置の前記ミラー扉と隣り合わせとなる位置に配置され、縦方向に延びる発光部（例えば、後述の照明カバー７０）を有する縦型照明器具（例えば、後述の縦型照明ユニット６０Ｌ，６０Ｒ）と、前記上部照明器具及び前記縦型照明器具の所定の点灯状態の組み合わせが設定された照明モードを指定可能な操作部（例えば、後述のリモコン１２０）と、前記操作部によって指定された前記照明モードに基づいて前記上部照明器具と前記縦型照明器具の照明制御を連動して行う制御部（例えば、後述の電源ユニット８０及び電源ユニット１８０）と、を備えるミラーキャビネットに関する。
【０００７】
前記制御部は、前記照明モードを追加又は変更できることが好ましい。
【発明の効果】
【０００８】
本発明によれば、縦型照明器具及び上部照明器具を備えるミラーキャビネットにおいて、操作部の簡単な操作により、ミラー扉の正面側の光を所望の状態に調整できる構成を提供できる。
【図面の簡単な説明】
【０００９】
【図１】本発明の一実施形態に係るミラーキャビネットが適用される洗面化粧台を示す斜視図である。
【図２】本実施形態の上部照明ユニット及び縦型照明ユニットの電気的な接続関係を示す模式図である。
【図３】本実施形態のリモコンを示す正面図である。
【図４】照明モードに対応する上部照明ユニット及び縦型照明ユニットの照明制御の一例を示す表である。
【図５】変形例のリモコンを示す正面図である。
【発明を実施するための形態】
【００１０】
以下、本発明の好ましい実施形態について、図面を参照しながら説明する。図１は、本発明の一実施形態に係るミラーキャビネット６が適用される洗面化粧台１を示す斜視図である。なお、以下の説明において、単に左右方向といったときは、ミラーキャビネット６を正面から見たときの左右方向を示すものとする。
【００１１】
図１に示すように、本実施形態の洗面化粧台１は、洗面所等に設置されるものであり、床面に載置される洗面台２と、洗面台２の上方に配置されるミラーキャビネット６と、を主要な構成として備える。洗面台２の上部には洗面ボウル３が配置され、該洗面ボウル３には水栓４及びハンドル５が配置される。
【００１２】
ミラーキャビネット６は、キャビネット本体１０と、キャビネット本体１０の正面に取り付けられる複数のミラー扉７と、ミラー扉７の間に配置される複数の縦型照明ユニット６０と、上部照明ユニット１６０と、縦型照明ユニット６０及び上部照明ユニット１６０の点灯等を操作する壁掛け式のリモコン１２０と、を備える。
【００１３】
キャビネット本体１０は、側板１２と、天板１４と、底板（図示省略）と、背板（図示省略）等の構成材によって形成される。キャビネット本体１０の内部空間は、仕切り板（図示省略）によって複数の空間に区画されている。
【００１４】
複数のミラー扉７は、中央に配置されるミラー扉７Ｃと、左右に配置されるミラー扉７Ｌ，７Ｒと、からなる。ミラー扉７Ｃは、その左右方向の長さがミラー扉７Ｌ，７Ｒよりも長く構成されている。
【００１５】
縦型照明ユニット６０は、ＬＥＤ基板（図示省略）を覆う細長の照明カバー７０を有するライン照明である。照明カバー７０は、光を拡散させる拡散材入りのポリカーボネートで構成されており、ＬＥＤ基板に設けられるＬＥＤ素子からの光を拡散させる拡散部材としても機能する。照明カバー７０の上端には上部キャップ７６が設けられ、下端には下部キャップ（図示省略）が設けられる。また、本実施形態の照明カバー７０は、ミラー扉７の表面よりも正面側に突出しており、キャビネット本体１０の正面側を効率的に明るくすることができるようになっている。
【００１６】
２本の縦型照明ユニット６０のうち、左側に配置される縦型照明ユニット６０Ｌはミラー扉７Ｌとミラー扉７Ｃの間に配置され、右側に配置される縦型照明ユニット６０Ｒはミラー扉７Ｃとミラー扉７Ｒの間に配置される。
【００１７】
上部照明ユニット１６０は、キャビネット本体１０の正面側の上部に固定されており、ミラー扉７Ｃの上部であって縦型照明ユニット６０Ｌと縦型照明ユニット６０Ｒの間に位置する。上部照明ユニット１６０は、外装カバー１６１と、外装カバー１６１に保持される発光部１６２と、を有しており、キャビネット本体１０の上部から下方に光を照射する。本実施形態の発光部１６２は、ＬＥＤ基板、略平板状の導光板及び拡散シート等からなり、面発光可能に構成されている。
【００１８】
次に、縦型照明ユニット６０と上部照明ユニット１６０の電気的な接続関係について説明する。図２は、本実施形態の上部照明ユニット１６０及び縦型照明ユニット６０Ｌ，６０Ｒの電気的な接続関係を示す模式図である。図３は本実施形態のリモコン１２０を示す正面図である。図４は、照明モードに対応する上部照明ユニット１６０及び縦型照明ユニット６０Ｌ，６０Ｒの照明制御の一例を示す表である。
【００１９】
内蔵コンセント２０は、プラグ付きコード２５を介して外部電源に接続される。内蔵コンセント２０には、縦型照明ユニット６０Ｌ，６０Ｒに電力を供給するための電源ケーブル２１と、上部照明ユニット１６０に電力を供給するための電源ケーブル２２と、がそれぞれ接続される。なお、本実施形態の内蔵コンセント２０はキャビネット本体１０の内部空間に設置される。
【００２０】
電源ユニット８０は、二手に分岐する照明ケーブル６５を介して縦型照明ユニット６０Ｌ及び縦型照明ユニット６０Ｒのそれぞれに接続される。電源ケーブル２１を介して電源ユニット８０に供給された電力は、照明ケーブル６５を介して縦型照明ユニット６０Ｌ及び縦型照明ユニット６０Ｒのそれぞれに供給される。
【００２１】
２本の縦型照明ユニット６０のうち、縦型照明ユニット６０Ｒにはリモコン１２０からの制御信号を受信する受信装置１００が設けられる。本実施形態の受信装置１００は、縦型照明ユニット６０Ｒの上部キャップ７６Ｒに内蔵されている。本実施形態では、上部キャップ７６Ｒは、上部キャップ７６Ｌよりも正面側に突出しており、リモコン１２０からの制御信号を受信し易くなっている（図１参照）。
【００２２】
受信装置１００は、受光ケーブル６６を介して電源ユニット８０に接続される。電源ユニット８０は、受信装置１００が受信した制御信号に基づいて縦型照明ユニット６０Ｌ及び縦型照明ユニット６０Ｒの点灯、消灯及び明るさの調整等の照明制御を行う制御部として機能する。
【００２３】
本実施形態の電源ユニット８０は、縦型照明ユニット６０Ｌと縦型照明ユニット６０Ｒの点灯状態を「弱」「中」「強」「消灯」に切り替えることができる。「弱」「中」「強」は、明るさの程度であり、「弱」「中」「強」の３段階で明るさを調節することができる。本実施形態では、縦型照明ユニット６０Ｌと縦型照明ユニット６０Ｒの照度（明るさ）は連携しており、左右の縦型照明ユニット６０Ｌ，６０Ｒは同じ明るさになるように制御される。
【００２４】
電源ユニット１８０は、照明ケーブル１６５を介して上部照明ユニット１６０に接続される。電源ケーブル２２を介して電源ユニット１８０に供給された電力は、照明ケーブル１６５を介して上部照明ユニット１６０に供給される。上部照明ユニット１６０にもリモコン１２０からの制御信号を受信する受信装置１１０が設けられる。受信装置１１０は、受光ケーブル１６６を介して電源ユニット１８０に接続される。
【００２５】
受信装置１１０は、受光ケーブル１６６を介して電源ユニット１８０に接続される。電源ユニット１８０は、受信装置１１０が受信した制御信号に基づいて上部照明ユニット１６０の点灯及び消灯を制御する。
【００２６】
本実施形態の電源ユニット１８０は、受信装置１１０が受信した制御信号に基づいて上部照明ユニット１６０の「点灯」と「消灯」を切り替える。
【００２７】
リモコン１２０は、赤外線通信等の無線送信によって制御信号を受信装置１００及び受信装置１１０に送信可能に構成される。次に、リモコン１２０について説明する。リモコン１２０は、本体ケース１３０と、本体ケース１３０の内側に設けられる電子基板１３１と、本体ケース１３０の前面に設けられるスイッチ部１４５と、を備える。
【００２８】
本体ケース１３０は、横長のブロック状に形成され、背面側に壁掛け用の係止部（図示省略）が形成される。本実施形態では、壁に取り付けられたフック部材に係止部を引っ掛けて壁に固定する（図１参照）。
【００２９】
電子基板１３１は、無線通信機能及び照明モードの選択機能を実現する電子部品が実装される。電子基板１３１は、スイッチ部１４５で選択された照明モードに応じた制御信号を赤外線通信により受信装置１００，１１０に送信する。
【００３０】
スイッチ部１４５は、縦型照明ユニット６０Ｌ，６０Ｒ及び上部照明ユニット１６０の照明制御を選択する複数の押しボタンスイッチからなる。図３に示すように、スイッチ部１４５は、本体ケース１３０と、上部スイッチ１２１と、正面スイッチ１２２と、モード変更スイッチ１２３と、を備える。
【００３１】
上部スイッチ１２１は、上部照明ユニット１６０の点灯と消灯を切り替える入力装置である。上部スイッチ１２１には、その中央に操作対象の照明ユニットの場所を示す「上部」の文字が表示されるとともに、「点灯／消灯」操作によって変更される状態を示す「点灯／消灯」の文字が表示される操作表示部１４１が設けられる。
【００３２】
上部照明ユニット１６０が消灯している状態で上部スイッチ１２１を押すと上部照明ユニット１６０が点灯状態となる。上部照明ユニット１６０が点灯している状態で上部スイッチ１２１を押すと上部照明ユニット１６０が消灯状態となる。
【００３３】
正面スイッチ１２２は、左右の縦型照明ユニット６０Ｌ，６０Ｒの明るさの変更と消灯を切り替える入力装置である。正面スイッチ１２２には、その中央に操作対象の照明ユニットの場所を示す「正面」の文字が表示されるとともに、操作によって変更される状態を示す「弱／中／強／消灯」の文字が表示される操作表示部１４２が設けられる。正面スイッチ１２２を押すたびに縦型照明ユニット６０Ｌ，６０Ｒが「弱」、「中」、「強」、「消灯」と順次切り替わる。
【００３４】
モード変更スイッチ１２３は、縦型照明ユニット６０Ｌ，６０Ｒ及び上部照明ユニット１６０の照明モードを選択する入力装置である。
【００３５】
照明モードは、縦型照明ユニット６０Ｌ，６０Ｒの制御として設定される「弱」、「中」、「強」「消灯」の４つのパターン（点灯状態）と、上部照明ユニット１６０の「点灯」、「消灯」の２つのパターン（点灯状態）と、の組み合せが予め設定されたものである。なお、本明細書における点灯状態は、明るさの程度だけでなく、点灯していないという状態という意味で、消灯も含む概念である。
【００３６】
例えば、第１モードでは、縦型照明ユニット６０Ｌ，６０Ｒの照度が「強」に設定されるとともに、上部照明ユニット１６０が「消灯」に設定される。第１モードは、例えば、洗顔、化粧や化粧落とし、髭剃り、コンタクトの着脱、口内のチェック、合わせ鏡等、ユーザの顔や口周り等を照らしたい場合等に用いられる。また、第２モードでは、縦型照明ユニット６０Ｌ，６０Ｒの照度が「弱」に設定されるとともに、上部照明ユニット１６０が「点灯」に設定される。第２モードは、例えば、整髪、洗髪、歯磨き、うがい等、ユーザの全体を照らしたい場合等に用いられる。
【００３７】
また、本実施形態のミラーキャビネット６はユーザが照明モードを設定できるようになっている。例えば、手洗い、コンタクトの洗浄、洗面台２の掃除等、ユーザの手元を照らしたい場合に特化して縦型照明ユニット６０及び上部照明ユニット１６０の照明制御を設定することができる。本実施形態の第３モード及び第４モードは、ユーザに追加的に設定照明モードである。第３モードは、縦型照明ユニット６０Ｌ，６０Ｒの照度が「強」に設定されるとともに、上部照明ユニット１６０が「点灯」に設定される。第４モードは、縦型照明ユニット６０Ｌ，６０Ｒの照度が「中」に設定されるとともに、上部照明ユニット１６０が「点灯」に設定される。
【００３８】
照明モードの追加及び変更処理は、リモコン１２０により行う。例えば、所定のスイッチを長押しすることにより、設定モードに移行する等、リモコン１２０を通じて適宜の方法を採用することができる。設定モードは、リモコン１２０の電子基板１３１が備える記憶部に記憶させてもよいし、電源ユニット８０，１８０が備える記憶部に記憶させてもよい。なお、この方法に限らず、キャビネット本体１０に設定操作部を配置し、該設定操作部を操作して照明モードを設定する構成としてもよい。
【００３９】
また、上述の照明モードでは、縦型照明ユニット６０Ｌと縦型照明ユニット６０Ｒの明るさが同じ照度に制御される場合を説明したが、縦型照明ユニット６０Ｌ及び縦型照明ユニット６０Ｒの照度が異なるように照明モードを設定することもできる。例えば、上部照明ユニット１６０が「点灯」に設定され、縦型照明ユニット６０Ｌの照度が「強」に設定され、縦型照明ユニット６０Ｒの照度が「弱」に設定される照明モードを設定することができる。
【００４０】
以上の構成により、ミラーキャビネット６が家族等の多数のユーザに使われる場合、第１モード及び第２モードを個人のモードとして利用することもできる。例えば、第３モードを「お母さんモード」とし、第４モードを「お父さんモード」としてユーザ個人の嗜好を反映させたモードとして活用できる。
【００４１】
次に、リモコン１２０による照明モードの切り替えについて説明する。図４に示すように、モード変更スイッチ１２３の操作回数によって照明モードが切り替わる。例えば、モード変更スイッチ１２３が１回押されると、モード変更スイッチ１２３が操作されたことを示す制御信号が無線通信により受信装置１００及び受信装置１１０に送信される。そして、受信装置１００が受信した制御信号は電源ユニット８０に送信され、受信装置１１０が受信した制御信号は電源ユニット１８０に送信される。
【００４２】
電源ユニット８０及び電源ユニット１８０は、縦型照明ユニット６０Ｌ，６０Ｒ及び上部照明ユニット１６０を第１モードで制御する。上述のように、第１モードでは、照度が「強」になるように電源ユニット８０によって縦型照明ユニット６０Ｌ，６０Ｒが制御されるとともに、電源ユニット１８０によって上部照明ユニット１６０が「消灯」する。
【００４３】
第１モードが選択されている状態でモード変更スイッチ１２３が１回操作されると、リモコン１２０からの制御信号に基づいて縦型照明ユニット６０Ｌ，６０Ｒ及び上部照明ユニット１６０の照明モードが第２モードに移行する。即ち、初期状態からモード変更スイッチ１２３が２回押されると照明モードが第２モードになり、縦型照明ユニット６０Ｌ，６０Ｒの照度が「弱」で制御されるとともに、上部照明ユニット１６０が「点灯」する。
【００４４】
第２モードが選択されている状態でモード変更スイッチ１２３が１回操作されると照明モードが第３モードに移行する。即ち、初期状態からモード変更スイッチ１２３が３回押されると照明モードが第３モードに変更される。第３モードが選択されている状態でモード変更スイッチ１２３が１回操作されると照明モードが第４モードに移行する。即ち、初期状態からモード変更スイッチ１２３が４回押されると照明モードが第４モードに変更される。なお、第４モードの状態でモード変更スイッチ１２３を押すと第１モードに戻るように設定してもよいし、第５モードを更に設定してもよい。また、第４モードの状態でモード変更スイッチ１２３を押すと全て消灯となるように設定することもできる。
【００４５】
次に、照明モードが選択されている状態でのリモコン１２０の操作について説明する。本実施形態では、照明モードが選択されている場合に、上部スイッチ１２１又は正面スイッチ１２２が操作されると、縦型照明ユニット６０Ｌ，６０Ｒ又は上部照明ユニット１６０が消灯するようになっている。なお、各照明モードが選択されている状態で上部スイッチ１２１又は正面スイッチ１２２によって消灯された場合でも、当該照明モードの順番は保持される。即ち、第２モードが選択されている状態で上部スイッチ１２１によって上部照明ユニット１６０が消灯された状態で、モード変更スイッチ１２３を押すと第３モードに移行することになる。
【００４６】
また、照明モードが選択されている状態で、上部スイッチ１２１と正面スイッチ１２２が同時に押された場合は、照明モードがリセットされる。この状態で、モード変更スイッチ１２３が押されると、照明モードは直前に選択されていた照明モードに関わらず、第１モードに移行する。更に、照明モードが選択されている状態で上部スイッチ１２１又は正面スイッチ１２２が長押しされると、縦型照明ユニット６０Ｌ，６０Ｒ及び上部照明ユニット１６０の両方が消灯状態となる。
【００４７】
以上説明した本実施形態によれば、以下のような効果を奏する。
即ち、本実施形態のミラーキャビネット６は、キャビネット本体１０と、キャビネット本体１０の内部空間を開閉するミラー扉７Ｃと、ミラー扉７Ｃの上に配置される上部照明ユニット１６０と、閉鎖位置のミラー扉７Ｃと隣り合わせとなる位置に配置され、縦方向に延びる照明カバー７０を有する縦型照明ユニット６０Ｌ，６０Ｒと、上部照明ユニット１６０及び縦型照明ユニット６０Ｌ，６０Ｒの所定の点灯状態の組み合わせが設定された照明モードを指定可能なリモコン１２０と、リモコン１２０によって指定された照明モードに基づいて上部照明ユニット１６０と縦型照明ユニット６０Ｌ，６０Ｒの照明制御を連動して行う電源ユニット８０及び電源ユニット１８０と、を備える。
【００４８】
これにより、ユーザは、上部照明ユニット１６０の調光と縦型照明ユニット６０Ｌ，６０Ｒの調光を別々に行うことなく、モード変更スイッチ１２３を操作するだけで所望の照明モードに変更することができる。
【００４９】
本実施形態のミラーキャビネット６は、リモコン１２０又は電源ユニット８０，１８０の照明モードを追加又は変更できるように構成される。
【００５０】
これにより、ミラーキャビネット６が配置される配置場所の状況に応じて明るさを調節することもできる。また、複数のユーザがミラーキャビネット６を使用する場合であっても、個人の嗜好に合わせて照明モードを設定することにより、それぞれの好みを反映した照明の下で各種の作業を行うことができる。
【００５１】
以上、本発明の好ましい実施形態について説明したが、本発明は、上述の実施形態に制限されるものではなく、適宜変更が可能である。
【００５２】
次に、図５を参照して上記実施形態の変形例について説明する。図５は、変形例のリモコン２２０を示す照明図である。なお、以下の説明において上記実施形態と同様の構成については同じ符号を付してその説明を省略することがある。
【００５３】
変形例のリモコン２２０の構成について説明する。変形例のリモコン２２０は、スイッチ部２４５の構成が上記実施形態と異なっている。なお、以下の説明において上記実施形態と同様の構成については同じ符号を付してその説明を省略する。
【００５４】
変形例のリモコン２２０は、上部スイッチ１２１と、正面スイッチ１２２と、第１モードスイッチ２３１と、第２モードスイッチ２３２と、第３モードスイッチ２３３と、第４モードスイッチ２３４と、が本体ケース１３０の前面に設けられる。
【００５５】
第１モードスイッチ２３１を押すと照明モードが第１モードに変更される。同様に、第２モードスイッチ２３２は第２モード、第３モードスイッチ２３３は第３モード、第４モードスイッチ２３４は第４モードに対応している。この変形例のリモコン２２０によれば、照明モードを切り替えるための操作部が複数設けられるので、ユーザは１回の操作で所望のモードに速やかに変更することができる。
【００５６】
上記実施形態では、上部照明ユニット１６０は、「点灯」と「消灯」の２種類の制御であったが、上部照明ユニット１６０についても明るさの調整を行うことができる構成とすることができる。また、縦型照明ユニット６０Ｌ，６０Ｒの明るさの調整についても「弱」「中」「強」の３段階に限定されるわけではなく、２段階や４段階以上、又は明るさが連続的に変更される構成に変更することができる。また、縦型照明ユニット６０Ｌ，６０Ｒの長手方向の位置によって明るさが異なるように構成することもできる。例えば、子供等の小柄なユーザが利用する場合を想定し、縦型照明ユニット６０Ｌ，６０Ｒの長手方向に配列されるＬＥＤ素子の明るさをそれぞれ調整して縦型照明ユニット６０Ｌ，６０Ｒの下側のみを照らす制御を照明モードとして追加してもよい。このように、上部照明ユニット１６０及び縦型照明ユニット６０Ｌ，６０Ｒの明るさを調整する方法や設定は、事情に応じて適宜変更できる。
【００５７】
上記実施形態では、左右方向に延びるライン照明を上部照明ユニット１６０として説明したが、上部照明ユニット１６０はこの構成に限定されない。例えば、発光部が円型に構成される上部照明ユニットや複数の電球からなる上部照明ユニット等、種々の上部照明ユニットに本発明を適用できる。また、上記実施形態では、ミラー扉７Ｃの両側に縦型照明ユニット６０Ｌ，６０Ｒが配置される構成であるが、ミラー扉の片側のみに縦型照明ユニットが配置される構成とすることもできる。
【００５８】
上記実施形態では、縦型照明ユニット６０Ｌ，６０Ｒの電源ユニット８０及び受信装置１００と、上部照明ユニット１６０の電源ユニット１８０及び受信装置１１０と、がそれぞれ別途設けられる構成であるが、この構成に限定されない。例えば、縦型照明ユニット及び上部照明ユニットの電源ユニット及び受信装置を共用する構成とすることもできる。
【００５９】
上記実施形態では、リモコン１２０，２２０による無線通信を利用する構成であるが、この構成に限定されない。例えば、リモコン１２０，２２０と電源ユニット８０，１８０のそれぞれを有線と接続する構成や、キャビネット本体１０に操作部を設ける構成とすることもできる。
【００６０】
上記実施形態では、３枚のミラー扉７を備えるミラーキャビネット６を例に説明したが、この構成に限定されない。ミラー扉７が１枚のミラーキャビネットや４枚以上のミラーキャビネット等、種々のミラーキャビネットに本発明を適用できる。
【００６１】
上記実施形態では、縦型照明ユニット６０Ｌ，６０Ｒが、キャビネット本体１０側に固定された構成であるが、ミラー扉側に縦型照明器具を固定する構成とすることもできる。即ち、本明細書における縦型照明器具が閉鎖位置のミラー扉と隣り合わせとなる位置とは、キャビネット本体の仕切り板（図示省略）に縦型照明器具が取り付けられる構成や、ミラー扉に照明器具が直接取り付けられる構成等を含むものとする。
【符号の説明】
【００６２】
６  ミラーキャビネット
７  ミラー扉
１０  キャビネット本体
６０  照明ユニット（照明器具）
７０  照明カバー（発光部）
８０  電源ユニット（制御部）
１２０  リモコン（操作部）
１６０  上部照明ユニット（上部照明器具）
１８０  電源ユニット（制御部）
２２０  リモコン（操作部）
【図１】
2017080290.tif 000003
【図２】
2017080290.tif 000004
【図３】
2017080290.tif 000005
【図４】
2017080290.tif 000006
【図５】
2017080290.tif 000007